【手続補正書】
【提出日】平成17年7月26日(2005.7.26)
【手続補正１】
【補正対象書類名】明細書
【補正対象項目名】全文
【補正方法】変更
【補正の内容】
【発明の詳細な説明】
【発明の名称】車両の制御装置
【技術分野】
【０００１】
本発明は、車両の駆動源であるエンジンに対する燃料の供給および停止の制御に関し、特に、燃費を向上させるためにアイドル中に燃料の供給を停止する制御に関する。
【背景技術】
【０００２】
燃費を向上させるために減速走行中（エンジンアイドル状態）において、エンジンへの燃料の供給を停止する制御、いわゆるフューエルカット制御は、走行性能や乗心地を損なわない範囲でエンジンに対する燃料の供給を可及的に少なくして燃費を向上させる制御である。一般的には、エンジンがアイドリング状態にある減速中に、エンジン回転数が予め定められた条件であることにより、燃料の供給を停止している。
【０００３】
具体的には、走行中にスロットルバルブが閉じられてエンジン回転数が所定値以上のとき、燃料の供給を停止する。またエンジン回転数が低下して下限を規定している復帰回転数に達すると燃料の供給を再開する。なお、この復帰回転数はエンジンストールを生じさせず、またエンジンの安定した回転を維持する回転数に設定されている。燃費向上の観点から、フューエルカットからの復帰回転数は低く設定されて、できるだけ長い時間フューエルカットされることが望ましい。
【０００４】
このようなフューエルカット制御は、基本的には、エンジン回転数に基づいて実行される。たとえば運転者が急なブレーキ操作等を行なわない限り、降坂路を走行中の車両は、車速が低下するにしたがってダウンシフトしてエンジン回転数をフューエルカット領域内に維持して、燃料がカットされている時間をできるだけ伸ばす（すなわちフューエルカットからの復帰回転数以下にエンジン回転数を下げない）ように制御される。
【０００５】
一方、自動変速機を搭載した車両には、トルクコンバータの入力側と出力側とを直結可能とするロックアップクラッチを有する場合が多い。このロックアップクラッチを係合させることによりトルクコンバータの入力側と出力側とを直結するように制御されたり、入力側のポンプ回転数（エンジン回転数に対応）と出力側のタービン回転数との回転数の差に応じて、ロックアップクラッチの係合力を所定の状態にフィードバック制御し（スリップ制御し）トルクコンバータのスリップ状態が制御されたりする。
【０００６】
このようなスリップ制御は、高度な電子制御により、ロックアップ作動領域を拡大したフレックスロックアップ制御とよばれるものである。この制御においては、ロックアップクラッチによる機械的な動力伝達とトルクコンバータによる流体な動力伝達との動力伝達配分を走行状態に応じて、きめ細かく制御することにより、伝達効率を大幅に高めている。このフレックスロックアップ制御においては、中間モード（ロックアップクラッチに微小な滑りを与えるスリップ制御）を低車速域まで広げて設定し、ロックアップ領域をより拡大することが可能である。
【０００７】
また、減速時においてもロックアップクラッチを作動させることにより、フューエルカットされている時間（燃料の供給が中止されている時間）をできるだけ長く維持して燃費の向上を図るとともに、適度なエンジンブレーキを確保するようにすることができる。すなわち、前述した説明のように、アクセルペダルが解放されると、一般的にフューエルカットが実施されるが、このフューエルカットはエンジン回転数が予め定められた回転数（復帰回転数）以下になると中止される。従って、ロックアップクラッチの係合制御やスリップ制御によってエンジン回転数が急激に低下しないようにすることにより（すなわち、ロックアップクラッチの係合により積極的にエンジンを被駆動の状態にして、エンジン回転数を低下させないことにより）フューエルカットされている時間を長く保つことができ、同時に適度なエンジンブレーキを確保することができるものである。
【０００８】
しかしながら、ロックアップクラッチが係合状態またはスリップ状態である場合には、フューエルカットが開始されるタイミングにおいて、エンジンと駆動系とが締結されているため、大きな減速ショックを生じる。
【０００９】
特開２００３−４１９８８号公報（特許文献１）は、ロックアップクラッチを備える車両に対し、ロックアップクラッチの制御状態に応じて、減速ショックの緩和、燃費の向上、排気エミッションの良好化を最適に実現するエンジンの燃料噴射制御装置を開示する。このエンジンの燃料噴射制御装置は、減速運転時、所定の燃料カット条件が成立する場合に、燃料カットを実行するエンジンの燃料噴射制御装置であって、減速運転時、所定の燃料カット条件が成立する場合、エンジンの出力軸に連設される変速駆動系の入力側と出力側とを機械的に締結自在なロックアップクラッチがフルロックアップ（係合状態）またはスリップロックアップ（スリップ状態）の際には段階的に燃料カットする気筒を増加させる一方、ロックアップクラッチが解放の際には全気筒を略同時に燃料カットする。
【００１０】
このエンジンの燃料噴射制御装置によると、減速運転時、ロックアップクラッチがフルロックアップまたはスリップロックアップの際には段階的に燃料カットする気筒を増加させる一方、ロックアップクラッチが解放の際には全気筒を略同時に燃料カットする。これにより、ロックアップクラッチがフルロックアップまたはスリップロックアップの際の燃料カットでは、減速ショックが低減され、一方、ロックアップクラッチが解放の際の燃料カットでは、燃費の向上、排気エミッションの良好化が実現される。
【特許文献１】特開２００３−４１９８８号公報
【発明の開示】
【発明が解決しようとする課題】
【００１１】
フューエルカットの開始時において、ロックアップクラッチが係合状態またはスリップ状態であると、１−１）エンジンと駆動系とが直結されているので、大きな減速ショックを生じやすいが、１−２）エンジン回転数とタービン回転数との差が少ないので、フューエルカットを開始してエンジンが駆動状態から被駆動状態になってもエンジン回転数とタービン回転数との差が大きいことに起因するショックは生じにくい。
【００１２】
一方、フューエルカットの開始時において、ロックアップクラッチが解放状態であると、２−１）エンジンと駆動系とが直結されていないので、大きな減速ショックを生じにくいが、２−２）エンジン回転数とタービン回転数との差が、ロックアップクラッチ係合状態やスリップ状態であるときよりも大きいので、フューエルカットを開始してエンジンが駆動状態から被駆動状態になるとエンジン回転数とタービン回転数との差が大きいことに起因するショックが生じやすい。
【００１３】
特許文献１に開示されたエンジンの燃料噴射制御装置は、１−１）の問題を解決するものである。この他にも、この１−１）の問題点を解決するものとして、エンジンの点火角を制御してエンジントルクを低下させておいてからフューエルカットを開始させる技術も既に知られている。
【００１４】
一方、２−２）の問題点は、特許文献１に開示されたエンジンの燃料噴射制御装置では解決されない。すなわち、特許文献１の図７に記載されたように、燃料カット条件（この条件にはエンジン回転数とタービン回転数との差に関する条件はないとする）の成立と同時にフューエルカットを開始したのでは、エンジン回転数とタービン回転数との差が大きい（ロックアップクラッチが解放状態であるのでロックアップクラッチが係合状態またはスリップ状態であるときよりも回転数差が大きい）ので、回転数差に起因するショックが生じる。
【００１５】
このような場合、通常、エンジン回転数とタービン回転数との差が小さくなるまで、フューエルカットの開始タイミングを遅延させている。すなわち、ロックアップクラッチの解放状態に対応させて、エンジン回転数とタービン回転数との差が小さくなるまでの遅延時間を設けている。
【００１６】
しかしながら、このような制御では、ロックアップクラッチが係合状態やスリップ状態である場合にも、同じ遅延時間を経過した後にフューエルカットされるので、燃費向上の効果を十分に発現できない場合がある。
【００１７】
本発明は、上述の課題を解決するためになされたものであって、その目的は、ロックアップクラッチを備えた流体継手を搭載した車両において、フューエルカットの開始タイミングを早めて燃費向上を図る、車両の制御装置を提供することである。
【課題を解決するための手段】
【００１８】
第１の発明に係る車両の制御装置は、ロックアップクラッチを備えた流体継手を含む自動変速機を搭載した車両を制御する。この制御装置は、車両の走行状態が予め定められた条件を満足すると、内燃機関への燃料供給を停止するためのフューエルカット実行手段と、ロックアップクラッチの状態を検知するための検知手段と、検知されたロックアップクラッチの状態が係合状態またはスリップ状態であると、解放状態であるときよりも、燃料供給の停止を早く開始するようにフューエルカット実行手段を制御するための制御手段と、燃料供給の停止の開始時において、ロックアップクラッチが係合状態またはスリップ状態であることに起因するショックを低減させるためのショック低減手段とを含む。
【００１９】
第１の発明によると、たとえば、流体継手としてロックアップクラッチを備えたトルクコンバータを有する自動変速機を搭載した車両において、フューエルカットを実行する際の遅延時間をロックアップクラッチの状態に対応させて変更するようにした。具体的には、ロックアップクラッチの状態が係合状態またはスリップ状態であると、解放状態であるときよりも、燃料供給の停止を早く開始（フューエルカットを早く開始）するようにした。フューエルカットとロックアップクラッチとの間には、ロックアップクラッチが係合状態またはスリップ状態であると、Ａ）内燃機関と駆動系とが直結されているので、大きな減速ショックを生じやすい、Ｂ）内燃機関の回転数と流体継手の出力軸回転数との差が、ロックアップクラッチが解放状態であるときよりも小さいので、フューエルカットを開始して内燃機関が駆動状態から被駆動状態になっても回転数差が大きいことに起因するショックが生じにくいという関係がある。第１の発明に係る車両の制御装置おいては、ロックアップクラッチが係合状態またはスリップ状態であるときには、ショック低減手段（たとえば内燃機関のトルクダウン制御など）によりＡ）の減速ショックの発生を回避する。Ｂ）の特性に基づくと、フューエルカットの開始を、ロックアップが解放状態のときのように内燃機関の回転数が流体継手の出力軸回転数の近傍まで低下するまで待つ必要がない。このため、ロックアップクラッチが係合状態またはスリップ状態であるときには、解放状態であるときよりも早くフューエルカットを開始するようにした。その結果は、ロックアップクラッチを備えた流体継手を搭載した車両において、フューエルカットの開始タイミングを早めて燃費向上を図る、車両の制御装置を提供することができる。
【００２０】
第２の発明に係る車両の制御装置においては、第１の発明の構成に加えて、ショック低減手段は、燃料供給の停止の開始前に、内燃機関の出力を低下させるための手段を含む。
【００２１】
第２の発明によると、Ａ）内燃機関と駆動系とが直結されているので、大きな減速ショックを生じやすいという特性を、フューエルカット前に内燃機関の出力を低下させることにより（たとえば、エンジンの点火角を制御して）回避することができる。
【００２２】
第３の発明に係る車両の制御装置においては、第１の発明の構成に加えて、ショック低減手段は、燃料供給の停止の開始時に、内燃機関の複数の気筒への燃料供給の停止を順次開始させるための手段を含む。
【００２３】
第３の発明によると、Ａ）内燃機関と駆動系とが直結されているので、大きな減速ショックを生じやすいという特性を、フューエルカット時に内燃機関の複数の気筒への燃料供給の停止を順次に実行させることにより回避することができる。
【００２４】
第４の発明に係る車両の制御装置は、第１〜３のいずれかの発明の構成に加えて、条件が満足されてから燃料供給の停止を開始するまでの第１の遅延時間と、第１の遅延時間よりも短い第２の遅延時間を記憶するための記憶手段をさらに含む。制御手段は、ロックアップクラッチの状態が係合状態またはスリップ状態であると条件を満足してから第２の遅延時間の経過後、解放状態であると条件を満足してから第１の遅延時間の経過後に、燃料供給の停止を開始するようにフューエルカット実行手段を制御するための手段を含む。
【００２５】
第４の発明によると、内燃機関への燃料供給を停止するための条件が満足されてから実際に燃料の供給を停止するまでの遅延時間を、第１の遅延時間と第２の遅延時間とを区別して記憶手段に記憶するようにした。ロックアップクラッチの状態に対応させて、ロックアップクラッチが係合状態またはスリップ状態であるときには、より短い第２の遅延時間を選択して、ロックアップクラッチが解放状態であるときには、内燃機関の回転数が流体継手の出力軸回転数近傍に低下するまでの第１の遅延時間（第２の遅延時間より長い）を選択して、燃料供給の停止を開始するタイミングを制御することができる。
【００２６】
第５の発明に係る車両の制御装置においては、第４の発明の構成に加えて、記憶手段は、車両の状態に対応させて設定された、第１の遅延時間と第２の遅延時間とを記憶するための手段を含む。
【００２７】
第５の発明によると、様々な車両の状態（たとえば、車速、内燃機関冷却水温、路面勾配状態など）により遅延時間を異ならせて記憶するようにした。たとえば、様々な車両の状態をパラメータとして第１の遅延時間と第２の遅延時間とを算出できるようなマップを記憶するようにした。これにより、車両の状態に適合した最適な遅延時間を決定することができる。
【００２８】
第６の発明に係る車両の制御装置においては、第４または５の発明の構成に加えて、第１の遅延時間は、内燃機関の出力軸回転数と流体継手の出力軸回転数との差が予め定められた差以下になるように設定される。
【００２９】
第６の発明によると、第１の遅延時間が選択されるロックアップクラッチが解放状態である場合には、内燃機関の回転数と流体継手の出力軸回転数との差が、ロックアップクラッチがロックアップクラッチが係合状態またはスリップ解放状態であるときよりも大きいので、フューエルカットを開始して内燃機関が駆動状態から被駆動状態になると回転数差が大きいことに起因するショックが発生する。このため、内燃機関の出力軸回転数と流体継手の出力軸回転数との差が予め定められた差以下になるまでの時間を第１の遅延時間とすることにより、回転数差が大きいことに起因するショックの発生を抑制することができる。
【発明を実施するための最良の形態】
【００３０】
以下、図面を参照しつつ、本発明の実施の形態について説明する。以下の説明では、同一の部品には同一の符号を付してある。それらの名称および機能も同じである。したがっ
てそれらについての詳細な説明は繰返さない。
【００３１】
以下、本発明の実施の形態に係る車両制御システムを搭載した車両のパワートレーンについて説明する。本実施の形態に係る車両制御システムは、図１に示すＥＣＵ(Electronic Control Unit)１０００により実現される。本実施の形態では、自動変速機を、ロック
アップクラッチを備えたトルクコンバータと、歯車式変速機構とを有する自動変速機として説明する。ただし、本発明はこのような歯車式変速機構を有する自動変速機に限定されるものではない。ベルト式などの無段変速機構を有するものであってもよい。
【００３２】
図１を参照して、本実施の形態に係る車両制御システムを搭載した車両のパワートレーンについて説明する。本実施の形態に係る車両制御システムの特徴である制御は、より詳しくは、図１に示すＥＣＵ１０００の中のエンジンＥＣＵ（Electronic Control Unit）
１０１０により実現される。なお、この制御を実行するＥＣＵは特に限定されるものではない。
【００３３】
図１に示すように、この車両のパワートレーンは、エンジン１００と、トルクコンバータ２００と、自動変速機３００と、ＥＣＵ１０００とから構成される。
【００３４】
エンジン１００の出力軸は、トルクコンバータ２００の入力軸に接続される。エンジン１００とトルクコンバータ２００とは回転軸により連結されている。したがって、エンジン回転数センサ４００により検知されるエンジン１００の出力軸回転数ＮＥ（エンジン回転数ＮＥ）とトルクコンバータ２００の入力軸回転数（ポンプ回転数）とは同じである。
【００３５】
トルクコンバータ２００は、入力軸と出力軸とを直結状態（スリップ状態を含む）にするロックアップクラッチ２１０と、入力軸側のポンプ羽根車２２０と、出力軸側のタービン羽根車２３０と、ワンウェイクラッチ２５０を有するトルク増幅機能を発現するステータ２４０とから構成される。トルクコンバータ２００と自動変速機３００とは、回転軸により接続される。トルクコンバータ２００の出力軸回転数ＮＴ（タービン回転数ＮＴ）は、タービン回転数センサ４１０により検知される。自動変速機３００の出力軸回転数ＮＯＵＴは、出力軸回転数センサ４２０により検知される。
【００３６】
ロックアップクラッチ２１０は、油圧を供給するロックアップリレーバルブによって油圧の供給／排出が係合側と解放側とで切り換えられて作動させられ、ロックアップピストンが軸方向に移動することによって、ロックアップピストンとフロントカバーとが摩擦材を介して接離させる。また、ロックアップクラッチ２１０によってトルクコンバータ内が区画され、ロックアップピストンとフロントカバーとの間に、ロックアップクラッチ２１０を解放するための解放側油室が、ロックアップピストンとタービンランナとの間にロックアップクラッチ２１０を係合させるための係合側油室がそれぞれ形成され、解放側油室および係合側油室に、バルブボディ内の油圧回路から油圧が供給されるようになっている。このロックアップクラッチ２１０を作動させるための油圧は、セカンダリレギュレータバルブで調圧された油圧である。この油圧回路の詳細については、後述する。
【００３７】
図２に自動変速機３００の作動表を示す。図２に示す作動表によると、摩擦要素であるクラッチ要素（図中のＣ１〜Ｃ４）や、ブレーキ要素（Ｂ１〜Ｂ４）、ワンウェイクラッチ要素（Ｆ０〜Ｆ３）が、どのギヤ段の場合に係合および解放されるかを示している。車両の発進時に使用される１速時には、クラッチ要素（Ｃ１）、ワンウェイクラッチ要素（Ｆ０、Ｆ３）が係合する。
【００３８】
これらのパワートレーンを制御するＥＣＵ１０００は、エンジン１００を制御するエンジンＥＣＵ１０１０と、自動変速機３００を制御するＥＣＴ＿ＥＣＵ１０２０と、ＶＳＣ
(Vehicle Stability Control)＿ＥＣＵ１０３０とを含む。
【００３９】
ＥＣＴ＿ＥＣＵ１０２０には、タービン回転数センサ４１０からタービン回転数ＮＴを表わす信号が、出力軸回転数センサ４２０から出力軸回転数ＮＯＵＴを表わす信号が入力される。また、ＥＣＴ＿ＥＣＵ１０２０には、エンジンＥＣＵ１０１０から、エンジン回転数センサ４００にて検知されたエンジン回転数ＮＥを表わす信号と、スロットルポジションセンサにて検知されたスロットル開度を表わす信号とが入力される。
【００４０】
これら回転数センサは、トルクコンバータ２００の入力軸、トルクコンバータ２００の出力軸および自動変速機３００の出力軸に取り付けられた回転検出用ギヤの歯に対向して設けられている。これらの回転数センサは、トルクコンバータ２００の入力軸、トルクコンバータ２００の出力軸および自動変速機３００の出力軸の僅かな回転の検出も可能なセンサであり、たとえば、一般的に半導体式センサと称される磁気抵抗素子を使用したセンサである。
【００４１】
さらに、ＥＣＴ＿ＥＣＵ１０２０には、ＶＳＣ＿ＥＣＵ１０３０から、Ｇセンサにて検知された車両加速度を表わす信号と、運転者によりフットブレーキが操作されたことを表わす信号とが入力される。
【００４２】
ＥＣＴ＿ＥＣＵ１０２０から、自動変速機３００に、リニアソレノイドＳＬＴおよびＳＬＵに対する制御信号と、トランスミッションソレノイド制御信号が出力される。
【００４３】
エンジンＥＣＵ１０１０には、ＥＣＴ＿ＥＣＵ１０２０からタービン回転数ＮＴを表わす信号とロックアップクラッチ２１０の状態を表わす信号とが入力され、エンジン１００からエンジン回転数ＮＥを表わす信号が入力される。エンジンＥＣＵ１０１０から、エンジン１００へフューエルカット指令信号が出力され、ＥＣＴ＿ＥＣＵ１０２０へエンジン回転数ＮＥを表わす信号とスロットル開度を表わす信号とが出力される。また、エンジンＥＣＵ１０１０に、アイドル状態を表わす信号が入力される。この信号は、たとえば、車両の状態（アクセル開度等）に基づいて生成される。なお、エンジンＥＣＵ１０１０に、自動変速機３００からタービン回転数ＮＴを表わす信号を直接入力するようにしてもよい。
【００４４】
図３を参照して、この車両の油圧回路を説明する。図３に、ロックアップクラッチ２１０を作動させる油圧制御回路を示す。図３に示すように、フレックスロックアップ制御を実現するために、ＥＣＴ＿ＥＣＵ１０２０は、リニアソレノイド（ＳＬＵ）５５０に制御信号を出力する。ＥＣＴ＿ＥＣＵ１０２０は、トルクコンバータ２００の入力回転数（エンジン回転数ＮＥ）、トルクコンバータ２００の出力回転数（自動変速機３００の入力軸回転数）、エンジン１００のスロットル開度および車速等に基づいて、低車速領域においてもロックアップクラッチ２１０をスリップ制御（フレックスロックアップ制御）させて、伝達効率の大幅な向上を実現する。
【００４５】
この油圧回路は、ロックアップクラッチ２１０の係合状態と解放状態とを切換えるためのロックアップリレーバルブ５３０と、リニアソレノイド（ＳＬＵ）５５０から出力されるスリップ制御用信号圧に基づいて係合側油室と解放側油室の圧力差を調節しロックアップクラッチ２１０のスリップ量を制御するためのロックアップコントロールバルブ５４０と、ロックアップクラッチ２１０の係合圧を発生させてスリップ制御を実現するためのスリップ制御用信号を発生させるリニアソレノイド（ＳＬＵ）５５０とを備える。
【００４６】
ロックアップリレーバルブ５３０およびロックアップコントロールバルブ５４０には、セカンダリレギュレータバルブにより調圧された油圧が供給される。セカンダリレギュレ
ータバルブは、プライマリレギュレータバルブに接続され、プライマリレギュレータバルブから流入された作動油をスロットル圧に基づいて調圧することによりエンジン１００の出力トルクに対応したセカンダリレギュレータ圧を発生させる。
【００４７】
ロックアップリレーバルブ５３０は、ロックアップクラッチ２１０の解放側油室と連通する解放側ポートと、係合側油室に連通する係合側ポートと、セカンダリレギュレータ圧が供給される入力ポートと、ロックアップクラッチ２１０の解放時に係合側油室内の作動油が排出される第１排出ポートと、係合時に解放側油室内の作動油が排出される第２排出ポートとを備える。
【００４８】
このような構成を有するロックアップリレーバルブ５３０は、ロックアップクラッチ２１０の係合側としての位置と、ロックアップクラッチ２１０の解放側位置としての位置とをそれぞれ採ることになる。ロックアップクラッチ２１０の係合側において、ロックアップクラッチ２１０に供給されたセカンダリレギュレータ圧は、ロックアップクラッチ２１０の係合側油室に係合油圧、すなわち、オン圧として供給され、ロックアップクラッチ２１０の解放側において、セカンダリレギュレータ圧は、解放側油室に解放油圧、すなわち、オフ圧として供給される。
【００４９】
すなわち、ロックアップクラッチ２１０にオフ圧が供給されると、ロックアップクラッチ２１０の解放側油室内の油圧が係合側油室内の油圧よりも高められて、ロックアップクラッチが解放されると同時に係合側油室内の作動油が第１排出ポートや逆止弁を介してドレンへ排出される。一方、ロックアップクラッチ２１０にオン圧が供給されると、ロックアップクラッチ２１０の係合側油室内の油圧が解放側油室内の油圧よりも高められて、ロックアップクラッチが係合されると同時に解放側油室内の作動油が第２排出ポートやロックアップコントロールバルブ５４０を介してドレンへ排出される。
【００５０】
リニアソレノイド（ＳＬＵ）５５０は、ＥＣＴ＿ＥＣＵ１０２０からの出力電圧に伴って大きくなるスリップ制御用信号圧を発生させ、このスリップ制御用信号圧をロックアップコントロールバルブ５４０に作用させる。
【００５１】
ロックアップコントロールバルブ５４０は、セカンダリレギュレータ圧が供給されるライン圧ポートと、ロックアップリレーバルブ５３０の第２排出ポートから排出されるロックアップクラッチ２１０の解放油室側内の作動油を受け入れる受入ポートと、その受入ポートに受け入れられた作動油を排出するためのドレンポートとを備える。
【００５２】
さらに、ロックアップコントロールバルブ５４０は、受入ポートとドレンポートとの間を連通させる第１位置と、受入ポートとライン圧ポートとの間を連通させる第２位置との間を移動可能に設けられたスプール弁と、そのスプール弁を第１位置に向かって付勢するためにそのスプール弁に当接可能に配置されたプランジャと、そのプランジャとスプール弁とにスリップ制御用信号圧を作用させて、それらプランジャおよびスプール弁に互いに離隔する方向の推力をそれぞれ発生させるためのスリップ制御用信号圧を受け入れる信号圧油室と、プランジャにロックアップクラッチ２１０の解放側油室内の作動油の油圧を作用させてそのプランジャ延いてはスプール弁に第１位置へ向かう推力を発生させるために油圧を受け入れる油室と、スプール弁にロックアップクラッチ２１０の係合側油室内の作動油の油圧を作用させてそのスプール弁にその第２位置へ向かう方向の推力を発生させるために油圧を受け入れる油室と、信号圧油室に収容されてスプール弁を第２位置へ向かう方向へ付勢するスプリングとを備える。
【００５３】
このロックアップコントロールバルブ５４０では、スプール弁が第１位置にあるときには、受入ポートとドレンポートとが連通させられてロックアップクラッチ２１０の解放側
油室内の作動油が排出させられることによりロックアップクラッチ２１０の係合側油室内の作動油の油圧と解放側油室内の作動油の油圧との圧力差が増加させられる。一方、このロックアップコントロールバルブ５４０では、スプール弁が第２位置にあるときには、受入ポートとライン圧ポートとが連通させられてロックアップクラッチ２１０の解放側油室内にセカンダリレギュレータ圧が供給させることによりロックアップクラッチ２１０の係合側油室内の作動油の油圧と解放側油室内の作動油の油圧との圧力差が減少させられる。
【００５４】
このようにして、ロックアップコントロールバルブ５４０は、リニアソレノイド（ＳＬＵ）５５０から出力されるスリップ制御用信号圧に基づいて、係合側油室と解放側油室の圧力差を調節して、ロックアップクラッチのスリップ量を制御する。これにより、ロックアップクラッチ２１０がスリップ制御される。なお、ＥＣＴ＿ＥＣＵ１０２０は、通常のロックアップ領域より広い領域で、このようなロックアップクラッチ２１０のスリップ制御（フレックスロックアップ制御）を実行する。
【００５５】
本実施の形態に係る車両制御システムを実現するエンジンＥＣＵ１０１０は、ロックアップクラッチ２１０の状態（係合またはスリップ状態と、解放状態との相違）に基づいて、フューエルカットの開始タイミングを変更する。
【００５６】
図４を参照して、本実施の形態に係る車両制御システムのエンジンＥＣＵ１０１０で実行されるプログラムの制御構造について説明する。
【００５７】
ステップ（以下、ステップをＳと略す。）１００にて、エンジンＥＣＵ１０１０は、車両がアイドル状態であるか否かを判断する。このとき、エンジンＥＣＵ１０１０は、入力されたアイドル状態信号に基づいてアイドル状態であるか否かを判断する。車両がアイドル状態であると（Ｓ１００にてＹＥＳ）、処理はＳ１１０へ移される。もしそうでないと（Ｓ１００にてＮＯ）、この処理は終了する。
【００５８】
Ｓ１１０にて、エンジンＥＣＵ１０１０は、アイドル後経過カウンタＴを計測する。このアイドル後経過カウンタは、エンジンＥＣＵ１０１０に内蔵されているカウンタである。
【００５９】
Ｓ１２０にて、エンジンＥＣＵ１０１０は、ロックアップクラッチ２１０が係合状態またはスリップ状態であるか否かを判断する。このとき、エンジンＥＣＵ１０１０は、ＥＣＴ＿ＥＣＵ１０２０から入力されたロックアップクラッチ状態信号に基づいて、ロックアップクラッチ２１０の状態を判断する。ロックアップクラッチ２１０が係合状態またはスリップ状態であると（Ｓ１２０にてＹＥＳ）、処理はＳ１５０へ移される。もしそうでないと（Ｓ１２０にてＮＯ）、処理はＳ１３０へ移される。
【００６０】
Ｓ１３０にて、エンジンＥＣＵ１０１０は、マップ（Ａ）による遅延時間Ｔ（Ａ）を選択する。このマップ（Ａ）は、エンジンＥＣＵ１０１０のメモリに記憶されたマップであって、ロックアップクラッチ２１０が解放状態である場合に採用されるマップである。このマップ（Ａ）に基づいて、ロックアップクラッチ２１０が解放状態である場合の遅延時間Ｔ（Ａ）を求めることができる。このマップ（Ａ）は、車両の状態に基づいて（センサにより検知できる車両の状態をパラメータとして）異なる複数の遅延時間Ｔ（Ａ）が記憶されており、エンジンＥＣＵ１０１０は、そのときの車両の状態に基づいて最適な遅延時間Ｔ（Ａ）をマップ（Ａ）から決定する。
【００６１】
Ｓ１４０にて、エンジンＥＣＵ１０１０は、アイドル後経過カウンタの値Ｔが遅延時間Ｔ（Ａ）以上であるか否かを判断する。アイドル後経過カウンタ値Ｔ≧遅延時間Ｔ（Ａ）であると（Ｓ１４０にてＹＥＳ）、処理はＳ１７０へ移される。もしそうでないと（Ｓ１
４０にてＮＯ）、この処理は終了する。
【００６２】
Ｓ１５０にて、エンジンＥＣＵ１０１０は、マップ（Ｂ）による遅延時間Ｔ（Ｂ）を選択する。このマップ（Ｂ）は、エンジンＥＣＵ１０１０のメモリに記憶されたマップであって、ロックアップクラッチ２１０が係合状態またはスリップ状態である場合に採用されるマップである。このマップ（Ｂ）に基づいて、ロックアップクラッチ２１０が係合状態またはスリップ状態である場合の遅延時間Ｔ（Ｂ）を求めることができる。このマップ（Ｂ）もマップ（Ａ）と同様に、車両の状態に基づいて（センサにより検知できる車両の状態をパラメータとして）異なる複数の遅延時間Ｔ（Ｂ）が記憶されており、エンジンＥＣＵ１０１０は、そのときの車両の状態に基づいて最適な遅延時間Ｔ（Ｂ）をマップ（Ｂ）から決定する。
【００６３】
Ｓ１６０にて、エンジンＥＣＵ１０１０は、アイドル後経過カウンタの値Ｔが遅延時間Ｔ（Ｂ）以上であるか否かを判断する。アイドル後経過カウンタ値Ｔ≧遅延時間Ｔ（Ｂ）であると（Ｓ１６０にてＹＥＳ）、処理はＳ１７０へ移される。もしそうでないと（Ｓ１６０にてＮＯ）、この処理は終了する。
【００６４】
Ｓ１７０にて、エンジンＥＣＵ１０１０は、フューエルカットを開始する。このとき、エンジンＥＣＵ１０１０は、エンジン１００への燃料供給を停止させる。なお、このとき、他のフューエルカット開始条件も成立しているとこととする。
【００６５】
以上のような構造およびフローチャートに基づく、本実施の形態に係る車両制御システムを搭載した車両の動作について説明する。
【００６６】
車両がアイドル状態であると（Ｓ１００にてＹＥＳ）、アイドル後経過カウンタＴが計測される（Ｓ１２０）。ロックアップクラッチ２１０が解放状態であると（Ｓ１２０にてＮＯ）、マップ（Ａ）に基づいて遅延時間Ｔ（Ａ）が選択される（Ｓ１３０）。ロックアップクラッチ２１０が係合状態またはスリップ状態であると（Ｓ１２０にてＹＥＳ）、マップ（Ｂ）に基づいて遅延時間Ｔ（Ｂ）が選択される（Ｓ１５０）。一方、なお、遅延時間Ｔ（Ａ）は、遅延時間Ｔ（Ｂ）よりも長い。
【００６７】
ロックアップクラッチ２１０が解放状態の場合には、アイドル後経過カウンタＴが長い方の遅延時間Ｔ（Ａ）以上になると（Ｓ１４０にてＹＥＳ）、フューエルカットが開始される（Ｓ１７０）。
【００６８】
ロックアップクラッチ２１０が係合状態またはスリップ状態の場合には、アイドル後経過カウンタＴが短い方の遅延時間Ｔ（Ｂ）以上になると（Ｓ１６０にてＹＥＳ）、フューエルカットが開始される（Ｓ１７０）。なお、このロックアップクラッチ２１０が係合状態またはスリップ状態の場合には、フューエルカットの開始前にエンジン１００の点火角を遅らせたりしてトルクダウン制御が実行されたり、フューエルカットの開始時に複数の気筒を順次フューエルカットさせるなどの、ロックアップクラッチ２１０が係合状態またはスリップ状態であることによりエンジン１００と駆動系とが直結されたことにより発生する強い減速ショックを回避するようにエンジン１００が制御される。
【００６９】
図５を参照して、本実施の形態に係る車両制御システムを搭載した車両の動作をタイミングチャートを用いて説明する。
【００７０】
図５に示すように、ロックアップクラッチ２１０が解放状態である場合においては、マップ（Ａ）の遅延時間Ｔ（Ａ）（＞遅延時間Ｔ（Ｂ））が採用され、エンジン回転数ＮＥがタービン回転数ＮＴとの差がなくなるほどに低下するまでフューエルカットの開始を遅
延させている。
【００７１】
一方、ロックアップクラッチ２１０が係合状態またはスリップ状態である場合においては、マップ（Ｂ）の遅延時間Ｔ（Ｂ）（＜遅延時間Ｔ（Ａ））が採用され、できる限り早くから（たとえば、エンジン１００のトルクダウン制御によりエンジン１００の出力トルクが低下するだけの時間を遅延させてから）フューエルカットが開始される。このように遅延時間を短くしても、ロックアップクラッチ２１０が係合状態またはスリップ状態であり、エンジン回転軸とタービン回転軸とが直結（係合状態）または直結に近い状態（スリップ状態）であるので、エンジン回転数ＮＥがタービン回転数ＮＴとの差は小さく、フューエルカットの開始によりエンジン１００が駆動状態から被駆動状態に変化しても、回転数差に起因するショックは発生しにくい。エンジン回転軸とタービン回転軸（駆動軸）とが直結（係合状態）または直結に近い状態（スリップ状態）であることによる減速ショックは、エンジン１００のトルクダウン制御によりエンジン１００の出力トルクを低下させておくことにより、またはエンジン１００の複数の気筒を順次フューエルカットすることにより回避されている。このため、エンジンと駆動軸とが直結されていることに起因する減速ショックも、回転数差に起因するショックも生じない。さらに、フューエルカットの開始タイミングが早まるので燃費が向上する。
【００７２】
なお、図５に示すように、ロックアップクラッチ２１０が解放状態であるにもかかわらず、より短い遅延時間Ｔ（Ｂ）を選択してフューエルカットを開始させると、ロックアップクラッチ２１０が解放状態であり、エンジン回転軸とタービン回転軸（駆動軸）とが直結されていないので、減速ショックは生じにくいが、エンジン回転数ＮＥとタービン回転数ＮＴとの回転数差が大きく、エンジン回転数ＮＥがタービン回転数ＮＴ近傍まで急低下するので、回転数差に起因するショックが生じてしまう。
【００７３】
以上のようにして、本実施の形態に係る車両制御システムによると、ロックアップクラッチを備えたトルクコンバータを有する自動変速機を搭載した車両において、フューエルカットを実行する際の遅延時間をロックアップクラッチの状態に対応させて変更するようにした。ロックアップクラッチが係合状態またはスリップ状態であると、解放状態であるときよりも、遅延時間を短くしてフューエルカット開始タイミングを早めた。フューエルカットとロックアップクラッチとの間には、ロックアップクラッチが係合状態またはスリップ状態であると、Ａ）エンジンと駆動系とが直結されているので、大きな減速ショックを生じやすい、Ｂ）エンジン回転数ＮＥとタービン回転数ＮＴとの差が、ロックアップクラッチがロックアップクラッチが解放状態であるときよりも小さいので、フューエルカットを開始してエンジンが駆動状態から被駆動状態になっても回転数差が大きいことに起因するショックが生じにくいという関係がある。本実施の形態に係る車両システムにおいては、Ａ）についてエンジンのトルクダウン制御などによりその減速ショックの発生を回避しつつ、Ｂ）の回転数差に起因するショックが発生しにくいことを活用して、ロックアップクラッチが係合状態やスリップ状態であるときには、解放状態であるときよりも早くフューエルカットを開始させるようにした。これにより、フューエルカットの開始に伴うショックを抑制しつつ、フューエルカットの実行時間が長くなり燃費が向上する。その結果、ロックアップクラッチを備えたトルクコンバータを搭載した車両において、フューエルカットの開始タイミングを早めて燃費向上を図る、車両制御システムを提供することができる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本発明の実施の形態に係る車両制御システムの制御ブロック図である。
【図２】図１に示す自動変速機の作動表である。
【図３】ロックアップクラッチに関連する油圧回路図である。
【図４】ＥＣＵで実行されるプログラムの制御構造を示すフローチャートである。
【図５】本発明の実施の形態に係る車両制御システムが搭載された車両の動作を示すタイミングチャートである。
【符号の説明】
【００７６】
１００  エンジン、２００  トルクコンバータ、２１０  ロックアップクラッチ、２２０  ポンプ羽根車、２３０  タービン羽根車、２４０  ステータ、２５０  ワンウェイクラッチ、３００  自動変速機、３１０  入力クラッチ、４００  エンジン回転数センサ、４１０  タービン回転数センサ、４２０  出力軸回転数センサ、５３０  ロックアップリレーバルブ、５４０  ロックアップコントロールバルブ、５５０  リニアソレノイド（ＳＬＵ）、１０００  ＥＣＵ、１０１０  エンジンＥＣＵ、１０２０  ＥＣＴ＿ＥＣＵ、１０３０  ＶＳＣ＿ＥＣＵ。